(57)【要約】【課題】  携帯端末機で再生されるベル音の開始部分を自動に変更させることができる携帯端末機のベル音再生方法を提供する。【解決手段】  携帯端末機のベル音再生方法は、携帯端末機に呼がかかってくる度に、ベル音の再生ポインタが続いて更新されてメモリに貯蔵され、プロセッサによって前記貯蔵されたポインタの位置が読み込まれることで、呼がかかってくる度にベル音の再生部分が変わる。携帯端末機に呼がかかってくると、ベル音再生ポインタが位置した地点からベル音が再生される段階と、ベル音再生が終了すると、再生が終了した地点にベル音再生ポインタを指定し、該ポインタの位置情報がメモリに貯蔵される段階と、から構成されることを特徴とする携帯端末機のベル音再生方法。【選択図】  図２
2006050563.tif 000002
【特許請求の範囲】
【請求項１】
携帯端末機に呼がかかってくると、ベル音が特定位置から再生される段階と、
ベル音の再生が終了すると、ベル音の再生終了部分が貯蔵される段階と、
から構成されることを特徴とする携帯端末機のベル音再生方法。
【請求項２】
前記特定位置は、最初のベル音の開始部であることを特徴とする請求項１に記載の携帯端末機のベル音再生方法。
【請求項３】
前記特定位置は、以前にベル音が終了された部分であることを特徴とする請求項１に記載の携帯端末機のベル音再生方法。
【請求項４】
前記特定位置は、メモリに貯蔵されたベル音再生ポインタの位置であることを特徴とする請求項１に記載の携帯端末機のベル音再生方法。
【請求項５】
前記ベル音の再生終了部分は、ベル音再生ポインタの位置を示す位置情報としてメモリに貯蔵されることを特徴とする請求項１に記載の携帯端末機のベル音再生方法。
【請求項６】
前記位置情報は、以前の位置情報を更新して貯蔵されることを特徴とする請求項５に記載の携帯端末機のベル音再生方法。
【請求項７】
前記位置情報は、時間的概念の情報であることを特徴とする請求項５に記載の携帯端末機のベル音再生方法。
【請求項８】
携帯端末機に呼がかかってくると、ベル音再生ポインタが位置した地点からベル音が再生される段階と、
ベル音再生が終了すると、再生が終了した地点にベル音再生ポインタを指定し、該ポインタの位置情報がメモリに貯蔵される段階と、
から構成されることを特徴とする携帯端末機のベル音再生方法。
【請求項９】
前記ベル音再生ポインタは、初期値としてベル音の開始部に位置することを特徴とする請求項８に記載の携帯端末機のベル音再生方法。
【請求項１０】
前記位置情報は、以前の位置情報を更新してメモリに貯蔵されることを特徴とする請求項８に記載の携帯端末機のベル音再生方法。
【請求項１１】
前記位置情報は、時間的概念の情報であることを特徴とする請求項８に記載の携帯端末機のベル音再生方法。
【請求項１２】
前記一連の段階は、呼がかかってくる度に反復遂行されることを特徴とする請求項８に記載の携帯端末機のベル音再生方法。
【発明の詳細な説明】
【技術分野】
【０００１】
本発明は、携帯端末機に関し、特に、携帯端末機で再生されるベル音の開始部分を自動に変更し得る携帯端末機のベル音再生方法に関する。
【背景技術】
【０００２】
移動通信機術及び端末機製造技術の発達によって、携帯端末機の使用者は、端末機を利用して動画像を見て、音楽を聞いて、インターネット及びモバイルゲームを楽しめるようになった。現在の携帯端末機は、単純に携帯電話機ではなく、携帯用エンターテイメントシステムと呼ばれている。
【０００３】
特に、携帯端末機に内蔵されるサウンドチップの開発によって、最近の携帯端末機は、６４和音の原音に近い音を表現することができ、これは、メモリの開発と共に、一曲全部がベル音として貯蔵されて再生されることを可能にした。これによって、ベル音に対する使用者の関心及び欲求の増大に応じて、電話の着信時に音楽などが再生されるようにするベル音を製作して使用者に提供する会社も出来た。
【０００４】
一般的に、携帯端末機に適用される既存のベル音再生方法は、電話がかかってくる度に指定されたベル音が開始部から反復されて鳴る方式であった。発信者に応じてベル音を異なって指定する場合も、基本的には該当ベル音が開始部から反復される方式であった。
【０００５】
しかしながら、既存のベル音再生方法において、ベル音は、電話がかかってきて使用者が電話を受ける直前まで再生されるため、一曲全部をベル音として指定しても、使用者は、常にベル音の同一部分のみを反復して聞くようになるという問題点があった。
【０００６】
また、ベル音の同一部分のみを反復して聞くことになると、使用者は、退屈さを感じ、ベル音を頻繁に変えるようになるため、結局、新しいベル音をダウンロードする費用が多くかかるという問題点があった。
【発明の開示】
【発明が解決しようとする課題】
【０００７】
本発明は、前述したような問題点を解決するために提案されたもので、本発明の目的は、携帯端末機で再生されるベル音の開始部分を自動に変更させることができる携帯端末機のベル音再生方法を提供することにある。
【課題を解決するための手段】
【０００８】
このような目的を達成するために本発明による携帯端末機のベル音再生方法は、携帯端末機に呼がかかってくると、ベル音が特定位置から再生される段階と、ベル音の再生が終了すると、ベル音の再生終了部分が貯蔵される段階と、から構成されることを特徴とする。
【０００９】
望ましく、前記特定位置は、最初のベル音の開始部を初期値とし、２番面の呼がかかってくる時からは、以前にベル音が終了された部分であり、メモリに貯蔵されたベル音再生ポインタの位置であることを特徴とする。
【００１０】
望ましく、前記ベル音の再生終了部分は、ベル音再生ポインタの位置を示す位置情報としてメモリに貯蔵されることを特徴とする
望ましく、前記位置情報は、以前の位置情報を更新して貯蔵されることを特徴とする。
上記目的を達成するために、本発明は、例えば、以下の手段を提供する。
（項目１）
携帯端末機に呼がかかってくると、ベル音が特定位置から再生される段階と、
ベル音の再生が終了すると、ベル音の再生終了部分が貯蔵される段階と、
から構成されることを特徴とする携帯端末機のベル音再生方法。
（項目２）
前記特定位置は、最初のベル音の開始部であることを特徴とする項目１に記載の携帯端末機のベル音再生方法。
（項目３）
前記特定位置は、以前にベル音が終了された部分であることを特徴とする項目１に記載の携帯端末機のベル音再生方法。
（項目４）
前記特定位置は、メモリに貯蔵されたベル音再生ポインタの位置であることを特徴とする項目１に記載の携帯端末機のベル音再生方法。
（項目５）
前記ベル音の再生終了部分は、ベル音再生ポインタの位置を示す位置情報としてメモリに貯蔵されることを特徴とする項目１に記載の携帯端末機のベル音再生方法。
（項目６）
前記位置情報は、以前の位置情報を更新して貯蔵されることを特徴とする項目５に記載の携帯端末機のベル音再生方法。
（項目７）
前記位置情報は、時間的概念の情報であることを特徴とする項目５に記載の携帯端末機のベル音再生方法。
（項目８）
携帯端末機に呼がかかってくると、ベル音再生ポインタが位置した地点からベル音が再生される段階と、
ベル音再生が終了すると、再生が終了した地点にベル音再生ポインタを指定し、該ポインタの位置情報がメモリに貯蔵される段階と、
から構成されることを特徴とする携帯端末機のベル音再生方法。
（項目９）
前記ベル音再生ポインタは、初期値としてベル音の開始部に位置することを特徴とする項目８に記載の携帯端末機のベル音再生方法。
（項目１０）
前記位置情報は、以前の位置情報を更新してメモリに貯蔵されることを特徴とする項目８に記載の携帯端末機のベル音再生方法。
（項目１１）
前記位置情報は、時間的概念の情報であることを特徴とする項目８に記載の携帯端末機のベル音再生方法。
（項目１２）
前記一連の段階は、呼がかかってくる度に反復遂行されることを特徴とする項目８に記載の携帯端末機のベル音再生方法。
【発明の効果】
【００１１】
本発明による携帯端末機のベル音再生方法は、呼がかかってくる度にベル音の再生部分が変わることによって、使用者の退屈さを解消し得るという効果がある。また、これによって、ベル音のダウンロード回数を減らすことができるため、頻繁なベル音のダウンロードによる使用者の金銭的損失を減らすことができるという効果がある。
【発明を実施するための最良の形態】
【００１２】
以下、図面を参照して本発明の望ましい実施形態を説明する。
【００１３】
図１は、本発明の一実施形態による携帯端末機におけるベル音の音原のサンプルを示す図である。
【００１４】
図１に示すように、ベル音の音源は、音の高低及び強弱を示すグラフとして表示されることができ、ａ部分は、ベル音の開始部であり、ｚ部分は、ベル音の終了部を示す。一般的には、ａ地点からｚ地点まで再生された後、またａ地点に戻って再び再生される。
【００１５】
しかしながら、本発明においては、呼がかかってきて使用者が電話を受けるまでのベル音が再生された部分をチェックして、ベル音の再生が終わる部分にベル音再生ポインタ(pointer)を指定し、ポインタの位置を示す位置情報をメモリに貯蔵する。以後、また呼がかかってくると、メモリに貯蔵されたポインタの位置を読み込むことによって、以前にベル音の再生が終了された部分からベル音が再生される。前記位置情報は、時間的概念の情報で、例えば、‘００分１２秒３６’のような情報を含む。
【００１６】
図２は、本発明による携帯端末機のベル音再生方法の具現過程を示す順序図である。
【００１７】
図２を参照すると、初めて携帯端末機に呼がかかってくると(Ｓ１０)、メモリに貯蔵されたベル音再生ポインタの位置からベル音が再生される(Ｓ２０)。
【００１８】
最初のポインタの位置は、ベル音の開始部であるａ地点であり、メモリに初期値として予め貯蔵されているべきである。
【００１９】
以後、使用者が電話を受けてベル音の再生が終了すると(Ｓ３０)、再生が終了した部分にポインタが指定され、ポインタが指定された位置に対する位置情報がメモリに貯蔵され、このとき、以前の位置情報が更新される(Ｓ４０)。
【００２０】
前述した一連の過程(Ｓ１０〜Ｓ４０)は、呼がかかってくる度にに反復される。
【００２１】
例えば、初めて携帯端末機に呼がかかってくると、ポインタ位置の初期値であるａ地点からベル音の再生が始まる。以後、使用者が電話を受けてｂ地点でベル音の再生が終了すると、携帯端末機のプロセッサによって前記ベル音の再生が終了されたこと及び該終了された部分が認識され、終了部分であるｂ地点にポインタが指定される。前記指定されたポインタの位置ｂは、プロセッサによってメモリに貯蔵される。
【００２２】
それから、２番目の呼がかかってくると、プロセッサによって前記メモリに貯蔵されたポインタの位置ｂが読み込まれ、前記読み込まれたｂ地点からベル音が再生される。次に、使用者が電話を受けてｃ地点でベル音の再生が終了すると、携帯端末機のプロセッサによって前記ベル音の再生が終了されたこと及び該終了された部分が認識され、その終了部分であるｃ地点にポインタが指定される。前記指定されたポインタの位置ｃは、プロセッサによってメモリに貯蔵されるが、以前に貯蔵されたｂ地点がｃ地点に更新されて貯蔵される。
【００２３】
同様に、３番目の呼がかかってくると、プロセッサによって前記メモリに貯蔵されたポインタの位置ｃが読み込まれ、前記読み込まれたｃ地点からベル音が再生される。以後、使用者が電話を受けてｄ地点でベル音の再生が終了すると、携帯端末機のプロセッサによって前記ベル音の再生が終了されたこと及び該終了された部分が認識され、その終了部分であるｄ地点にポインタが指定される。前記指定されたポインタの位置ｄは、プロセッサによってメモリに貯蔵されるが、以前に貯蔵されたｃ地点がｄ地点に更新されて貯蔵される。
【００２４】
前述したような反復的な過程を経てベル音の再生ポインタの位置が続けて更新されてメモリに貯蔵され、プロセッサによってメモリに貯蔵されたポインタの位置が読み込まれることによって、呼がかかってくる度にベル音の再生が始まる部分が変わるようになる。
【００２５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００２６】
携帯端末機で再生されるベル音の開始部分を自動に変更させることができる携帯端末機のベル音再生方法を提供する。
【００２７】
携帯端末機のベル音再生方法は、携帯端末機に呼がかかってくる度に、ベル音の再生ポインタが続いて更新されてメモリに貯蔵され、プロセッサによって前記貯蔵されたポインタの位置が読み込まれることで、呼がかかってくる度にベル音の再生部分が変わる。
【図面の簡単な説明】
【００２８】
【図１】本発明の一実施形態による携帯端末機におけるベル音の音原のサンプルを示す図である。
【図２】本発明による携帯端末機のベル音再生方法の具現過程を示す順序図である。
【図１】
2006050563.tif 000003
【図２】
2006050563.tif 000004